(57)【要約】      （修正有）【課題】容器内部のデットスペースを極力少なくし容量を多く確保すると共に容易に決められた数量を取り出し可能にし、錠剤の大きさや形状等の仕様変更があっても取出数量を変更可能な錠剤定量取出容器を提供する。【解決手段】外筒部２１と内筒部２２の２重円筒状を有し、該内筒部から連設される底壁２３より起立設した芯壁に、内鍔状に延設される頂壁２５を有する容器本体と、該内筒部の内側に組み込まれる中具と、該頂壁に係止される受け皿部と、該容器本体の上部を覆うキャップと、を有し、該中具は、底部３３の内縁部となる係止部３５が芯壁の外周を移動可能になるように容器本体の内筒部に組み込まれ、該係止部が受け皿部に係合するとき、該底部が弾性変形する。【選択図】図５
2018188174.tif 000002
【特許請求の範囲】
【請求項１】
外筒部（２１）と内筒部（２２）の２重円筒状を有し、該内筒部（２２）から連設される底壁（２３）より起立設した芯壁（２４）に、内鍔状に延設される頂壁（２５）を有する容器本体（２）と、
該内筒部（２２）の内側に組み込まれる中具（３）と、
該頂壁（２５）に係止される受け皿部（４）と、
該容器本体（２）の上部を覆うキャップ（５）と、を有する錠剤定量取立容器であって、
該中具（３）は、底部（３３）の内縁部となる係止部（３５）が芯壁（２４）の外周を移動可能になるように容器本体（２）の内筒部（２２）に組み込まれ、該係止部（３５）が受け皿部（４）に係合するとき、該底部（３３）が弾性変形する
ことを特徴とする錠剤定量取出容器。
【請求項２】
前記中具（３）の底部（３３）は、少なくとも１つの連結片（３３ａ）が隙間（３４）を保持して形成しており、且つ該連結片（３３ａ）が中具（３）の周壁（３１）と係止部（３５）とを連結する構成である請求項１に記載の錠剤定量取出容器。
【請求項３】
前記受け皿部（４）は、外縁部に係止部（３５）を係合させるフランジ部（４３）を形成している請求項１又は２に記載の錠剤定量取出容器。
【請求項４】
前記受け皿部（４）が、頂壁（２５）に着脱自在な構成である請求項１〜３のいずれかに記載の錠剤定量取出容器。
【請求項５】
前記内筒部（２２）の内面の上端部にストッパー片（２７）が配設され、前記中具（３）の周壁（３１）外面に凸部（３２）が突設されている請求項１〜４のいずれかに記載の錠剤定量取出容器。
【発明の詳細な説明】
【技術分野】
【０００１】
本発明は、定量分の錠剤を取り出すための錠剤定量取出容器に関するものである。
【背景技術】
【０００２】
菓子やサプリメント等は、取り扱いや数量の管理を容易にするため錠剤に加工されることが多く、錠剤は一般に錠剤容器内に多数収容されており、使用時に所定量を錠剤容器から取り出す必要がある。ここで、錠剤を収容した容器本体の開口部を単に閉鎖する蓋を備えた一般的な錠剤容器では、開口部から蓋を外し、容器本体を傾けるなどして錠剤を手のひら上に吐出させるが、これでは所望数を超えて余分な錠剤が容器本体から吐出される場合がある。必要以上に吐出された錠剤は、容器本体内に戻されるが、一旦、手に触れた錠剤を再び容器本体内へ戻すのは、衛生管理や品質保持の観点からは好ましくはなかった。
【０００３】
このため、錠剤を定量分だけ取り出す先行技術として、例えば特許文献１には、錠剤（ガム）を湾曲された形状を有する支持面を有する内部ボトルに収納し、錠剤を昇降軸の支持栓上に移動させ、それから内部ボトルを上下に昇降させて錠剤を抽出孔から取り出している。また、特許文献２では、傾斜を有する漏斗上に錠剤（チューインガム）を置き、昇降体を上昇させて錠剤を漏斗の中心部の中心筒に落下させ、その後、昇降体を下降させることで中心筒に落下した錠剤を取出口から取り出している。
【０００４】
特許文献１及び２共に、錠剤を最後まで取出すために、支持面と漏斗の形状が共にすり鉢状の形状となっているため、特許文献１の内部ボトルの形状では支持面と内部ボトル底部に挟まれた空間、特許文献２の傾斜を有する漏斗の形状では漏斗下面と容器底に挟まれた空間、がいずれもデットスペースとなっていた。一方、販売者は入れ目容量を少しでも多く確保したいために、デットスペースを極力少なくすることを要望していた。
また、これら特許文献では、錠剤を１個ずつ取出す構成となっているが、錠剤の大きさや形状等の仕様変更があっても取出数量を適宜変更できるような構成が求められている。
【先行技術文献】
【特許文献】
【０００５】
【特許文献１】特表２０１２−５３２０７３号公報
【特許文献２】実用新案登録第３１４２１００号公報
【発明の概要】
【発明が解決しようとする課題】
【０００６】
本発明の目的は、容器内部のデットスペースを極力少なくし容量を多く確保できると共に容易に決められた数量を取り出し可能な錠剤定量取出容器を提供することである。
また、本発明の別の目的は、錠剤の大きさや形状等の仕様変更があっても取出数量を変更可能な錠剤定量取出容器を提供することである。
【課題を解決するための手段】
【０００７】
上記課題を解決するため、本発明の錠剤定量取出容器の主たる構成は、
外筒部と内筒部の２重円筒状を有し、該内筒部から連設される底壁より起立設した芯壁に、内鍔状に延設される頂壁を有する容器本体と、
該内筒部の内側に組み込まれる中具と、
該頂壁に係止される受け皿部と、
該容器本体の上部を覆うキャップと、を有する錠剤定量取立容器であって、
該中具は、底部の内縁部となる係止部が芯壁の外周を移動可能になるように容器本体の内筒部に組み込まれ、該係止部が受け皿部に係合するとき、該底部が弾性変形する
ことを特徴とする。
【０００８】
上記主たる構成では、収容時に底部を平坦にさせデットスペースを無くした状態としつつ、中具の引き上げ時に係止部が受け皿部に係合した状態で更に引き上げることで、底部が弾性変形し傾斜した状態のすり鉢状となり錠剤を受け皿部に誘導することができ、定量分を受け皿部に貯留させることが可能である。
【０００９】
また、本発明の他の構成は、中具の底部が少なくとも１つの連結片が隙間を保持して形成しており、且つ連結片が中具の周壁と係止部とを連結している。
【００１０】
連結片が隙間を保持していることによって、底部が弾性変形し易くなり、錠剤をスムーズに受け皿部に誘導させることが可能となる。
【００１１】
また、本発明の他の構成は、受け皿部が外縁部に係止部を係合させるフランジ部を形成している
【００１２】
係止部とフランジ部が係合した時に部分での凹凸が殆どない面一状態とさせることができ、錠剤の受け皿部への誘導がスムーズに行える。
【００１３】
また、本発明の他の構成は、受け皿部が頂壁に着脱自在な構成であるものである。
【００１４】
錠剤の大きさや形状等の仕様変更があっても、皿部形状の異なる別の受け皿部に取り替えることによって取出数量を変えることが可能である。
【００１５】
また、本発明の他の構成は、内筒部の内面の上端部にストッパー片が配設され、中具の周壁外面に凸部が突設されているものである。
【００１６】
中具の引き上げ時に強く引き上げてしまっても、凸部がストッパー片に当接して、引き上げを規制するため中具の上方抜けを防止することができる。
【発明の効果】
【００１７】
本発明は、上記した構成となっているので、以下に示す効果を奏する。
本発明の主たる構成においては、中具の底部を可変可能な形状としているため、収容時には底部を平坦にさせデットスペースを無くすことが可能となり、錠剤が少なくなった際でも取出時には底部をすり鉢状に変位させることで容易に定量錠剤を受け皿部に誘導させ貯留させることが可能である。
また、本発明においては、錠剤の大きさや形状等の仕様変更があっても受け皿形状を取り替えることによって取出数量を変えることが可能である。
【図面の簡単な説明】
【００１８】
【図１】本発明の実施形態の錠剤定量取出容器の部分縦断面図である。
【図２】中具の平面図である。
【図３】中具を上昇させて錠剤を受け皿部に貯留させる過程の縦断面図である。
【図４】受け皿部に錠剤が貯留した時の縦断面図である。
【図５】中具を上昇させて底部が変位した時の縦断面図である。
【発明を実施するための形態】
【００１９】
以下、本発明の実施形態について図面を参照しつつ説明する。
図１〜図５に示すように、本発明の錠剤定量取出容器１は、容器本体２と、容器本体２の内部に組み込まれ錠剤Ｔを収納する中具３と、定量分の錠剤Ｔを取り出し易い様に貯留する受け皿部４と、容器本体２の上部を覆うように口筒部２１ａでネジ嵌合するキャップ５と、容器本体２にキャップ５を組み付けた際に気密性を高めるパッキン６と、を備える構成となっている。
【００２０】
容器本体２は、外筒部２１と内筒部２２の２重円筒状に形成され、外筒部２１の上部は内側に段差部を介して口筒部２１ａが起立し、その外周面には雄ネジ部２１ｂが刻設され、口筒部２１ａの上端に上端部２１ｃが形成され、内筒部２２の下端部から底壁２３を連設し、この底壁２３の内端部からは芯壁２４を起立連設しており、芯壁２４の上端部は内側に段差部２４ａを介して起立している。芯壁２４の上端から内鍔状に内側に延設される頂壁２５の内周端縁下面から係止壁２６を垂下設し、係止壁２６の先端部は内側に縮径している。内筒部２２の内面の上端部には、後述する中具３の上方抜けを防止するストッパー片２７が複数配設されている。ストッパー片２７はヒンジ部を介して上下方向に可動可能であり、中具３が無い状態では上方に立ち上がっているが、中具３を内筒部２２に組み込むと下方を向いた状態となり、中具３を組み込む際にはストッパー片２７が下方を向いて凹部２７ａに収まり内筒部２２の内面上端部は面一とすることができる。
【００２１】
中具３は、内筒部２２内部に組み込まれるものであり、円筒状の周壁３１の上端には外鍔状に、中具３を引き上げる際に指先の掛かり易く形成されている周壁上端３１ａを有し、周壁３１の外面下方には凸部３２が全周突設しており、ストッパー片２７に当接して中具３の引き上げを規制する。凸部３２については、周方向に間隔をおいて複数箇所設けるような構成としてもよい。中具３の底部３３は、少なくとも１つの連結片３３は隙間３４を有し、例えば、図２に示されるように、３個の渦巻き状の連結片３３ａは隙間３４を保持しつつ、周壁３１と内縁部の係止部３５とを連結する構成が挙げられる。そのような構成のため、底部３３は上下方向に弾性変形することが可能であり、図５に示される様に、すり鉢状に変位可能な構成となっている。係止部３５の先端部は、段差を介してフランジ状に形成されている、
【００２２】
受け皿部４は、容器本体２の中央に芯壁２４により起立している頂壁２５を覆い隠すように、先端部が内側に縮径している係止壁２６に嵌入片４２ａ、段差部２４ａに嵌入片４２ｂを嵌め合わせによって係止している。嵌入片４２ｂが段差部２４ａに入り込むように嵌入しているため、芯壁２４上部では面一となる。受け皿部４の上面の皿部４１は、錠剤Ｔを安定して保持し易いように中央が僅かに窪んだ形状を有している。受け皿部４の外縁部には、係止部３５と嵌合可能なように外周方向に円環状に延出するフランジ部４３が突出形成され、係止部３５とフランジ部４３が嵌合した時は、図５に示される様に、その部分での凹凸が殆どない面一状態となり、錠剤Ｔの受け皿部４への誘導がスムーズに行える。
【００２３】
キャップ５は、口筒部２１ａの雄ネジ部２１ｂにネジ嵌合する有頂筒状のオーバーキャップ体であり、円盤状の天壁部５１と、天壁部５１下面から後述するパッキン６を保持する支持片５２と、天壁部５１の端縁から垂下された円筒形状の周壁部５３と、を備えている。周壁部５３の内周面には、容器本体２の雄ネジ部２１ｂにネジ嵌合する雌ネジ部５４が形成されている。
また、キャップ５の支持片５２の下面には、円盤状のパッキン６が嵌合されている。このパッキン６が、キャップ５の支持片５２と容器本体２の上端部２１ｃとの間に挟み込まれることでシール性を発揮し、錠剤定量取出容器１は密封される。
【００２４】
次に、このように構成された錠剤定量取出容器１の作用について説明する。
図１に示される本発明の錠剤定量取出容器１の収納時においては、中具３の底部３３は平坦な構成となっているため錠剤Ｔの収納部にデットスペースを生じていない。この様な状態から錠剤Ｔを定量分だけ取り出すために、まず初めに、容器本体２の上部を覆うキャップ５を取り外す。
【００２５】
その後、図３に示されるように、受け皿部４に定量分の錠剤Ｔを載せるために中具３を引き上げる際は、外鍔状で指先が掛かり易くなっている周壁上端３１ａ付近を摘まんで引き上げる。中具３の引き上げにより、相対的に高さ位置が高くなった錠剤Ｔが受け皿部４方向に移動することで、受け皿部４に定量分の錠剤Ｔを載せることが可能となる。
【００２６】
定量分の錠剤Ｔを受け皿部４に載せた後は、図４に示される様に、中具３を引き下ろす。そして、受け皿部４に載った定量分の錠剤Ｔと取り出すことができる。
【００２７】
錠剤Ｔの取り出し動作を数度繰り返し、錠剤Ｔが少なくなった時は、図５に示される様に、中具３の引き上げ量を多くする必要があり、中具３は、底部３３の内縁部である係止部３５が芯壁２４の外周を移動可能となっており、係止部３５をフランジ部４３に係合した状態のまま中具３を引き上げると、底部３３は隙間３４を有する連結片３３ａが弾性変形し始め、徐々に周壁３１側の連結片３３ａが持ち上がり、底部３３は受け皿部４方向に傾斜した、すり鉢状の状態となる。この様に底部３３が弾性変形し、すり鉢状に中央方向に傾いたことによって錠剤Ｔは受け皿部４に誘導されるため、錠剤Ｔの残量が少なくなっても確実に受け皿部４に錠剤Ｔに集めることが可能である。なお、中具３の引き上げ時に強く引き上げてしまっても、周壁３１外面下方の凸部３２がストッパー片２７に当接して、引き上げを規制するため中具３の上方抜けが防止される。
【００２８】
また、受け皿部４は嵌入片４２ａ、４２ｂにより頂壁２５に係止して着脱自在であるため、皿部４１を錠剤Ｔに適した形状に変更した別の受け皿部４に取替え可能である。受け皿部４（皿部４１）の形状を取り替えることで、錠剤Ｔに適した貯留をすることができ、更には、中具３の引き上げ量の調整も可能である。
【００２９】
以上、実施例に沿って本発明の構成とその作用効果について説明したが、本発明の実施の形態は上記実施形態に限定されるものではない。
例えば上記実施形態では、底部３３を３個の連結片３３ａで形成させているが、引き上げによって底部３３が受け皿部４方向に傾斜して上下方向に弾性変形する形状であれば特に限定されるものではなく、どのような形態でも構わない。
また、上記実施形態では受け皿部４は頂壁２５に嵌入片４２ａ、４２ｂにより係止しているが、受け皿部４が着脱自在であり、確実に係止できるのであれば係止方法は特に限定されるものではない。また、受け皿部４は別体でなく容器本体２と一体であっても構わない。
また、段差部２４ａにおいて外面に係止部を設け、対向する嵌入片４２ｂの内面に係止部を設けてアンダーカット係止によって強固に係止させ、中具３の引き上げ時に受け皿部４が捲れ上がるのを抑制する構成としても構わない。
更には、嵌入片４２aの外面に係止凸部を設け、係止壁２６の先端部が該係止凸部に係止する構成としても構わない。
また更には、内筒部２２の内周面に案内手段を設けた容器本体２に、凸部３２を断続的に突設した中具３を組み込むことで、中具３の上下方向の移動をスムーズにさせる構造であってもよい。
【産業上の利用可能性】
【００３０】
以上説明したように、本発明によれば、錠剤の収納部にデットスペースを生じることがなく、錠剤の残量が少なくなっても確実に受け皿に錠剤に集めることが可能であるため、錠剤を定量分だけ取り出す容器分野における用途展開をさらに広い領域で図ることができる。
【符号の説明】
【００３１】
１    ；錠剤定量取出容器
２    ；容器本体
３    ；中具
４    ；受け皿部
５    ；キャップ
６    ；パッキン
２１  ；外筒部
２１ａ；口筒部
２１ｂ；雄ネジ部
２１ｃ；上端部
２２  ；内筒部
２３  ；底壁
２４  ；芯壁
２４ａ；段差部
２５  ；頂壁
２６  ；係止壁
２７  ；ストッパー片
２７ａ；凹部
３１  ；周壁
３１ａ；周壁上端
３２  ；凸部
３３  ；底部
３３ａ；連結片
３４  ；隙間
３５  ；係止部
４１  ；皿部
４２ａ、４２ｂ  ；嵌入片
４３  ；フランジ部
５１  ；天壁部
５２  ；支持片
５３  ；周壁部
５４  ；雌ネジ部
Ｔ    ；錠剤
【図１】
2018188174.tif 000003
【図２】
2018188174.tif 000004
【図３】
2018188174.tif 000005
【図４】
2018188174.tif 000006
【図５】
2018188174.tif 000007